(57)【要約】【課題】水虫の治療効果、足裏のつぼの刺激効果及び使用フィーリングを向上することができる水虫治療・健康促進装置を提供する。【解決手段】容器１１の内部に支持板１７を配設し、支持板１７の上側に人の足収容室Ｒを形成し、下側に分流室Ｒｃを形成する。前記容器１１の側板１５に取込フランジ２１を設け、この取込フランジ２１に給水パイプ２２を接続する。前記側板１６に排出フランジ２３を取り付け、この排出フランジ２３に排水パイプ２４を接続する。前記足収容室Ｒの底部に多数の小石を移動可能に収容して上下方向に積層された粒子層２５を形成する。前記給水パイプ２２から分流室Ｒｃ及び支持板１７の分流孔１７ａを経て足収容室Ｒ内に非加熱状態の水を供給し、粒子層２５の隙間を流れる水を人の足に触れさせた後、排出フランジ２３から外部に排出する。【選択図】図１
2008154931.tif 000002
【特許請求の範囲】
【請求項１】
足を入れる容器に水又は温水を取り込むための取込部を設け、前記容器内の水又は温水を外部に排出するための排出部を設け、前記容器内の底部に多数の粒子を移動可能に収容して、上下方向に積層された粒子層を形成したことを特徴とする水虫治療・健康促進装置。
【請求項２】
請求項１において、前記粒子の平均粒径は、３ｍｍ〜１５ｍｍの範囲に設定されていることを特徴とする水虫治療・健康促進装置。
【請求項３】
請求項２において、前記粒子は天然の小石であって、粒子の平均粒径は、５ｍｍ〜８ｍｍの範囲に設定され、粒子層の層厚は、１ｃｍ〜３ｃｍの範囲に設定されていることを特徴とする水虫治療・健康促進装置。
【発明の詳細な説明】
【技術分野】
【０００１】
本発明は、水虫治療・健康促進装置に関するものである。
【背景技術】
【０００２】
従来、水虫治療装置として、本願出願人は、特許文献１に開示されたものを提案している。この治療装置は、足を入れる容器に非加熱状態の水を取り入れるための取水部を設け、前記容器内の水を外部に排出するための排水部を設けている。そして、容器に足を入れて前記取水部から容器内に取り入れた流水を足に連続的に触れさせることにより、水虫を治療するようになっている。又、容器の底板の上面に足裏のつぼを刺激するための突部を多数箇所に取り付け、この突部によって、水虫の治療の他に、足裏のつぼを刺激して、足の血行を促進するようになっている。
【特許文献１】特開２００５−３３４４７６号公報
【発明の開示】
【発明が解決しようとする課題】
【０００３】
ところが、上記の水虫治療装置は、底板の上面に対し多数の突部が同一平面上に点在するように、かつ移動不能に取り付けられているので、足裏の表面が底板の上面に接触して、底板と足裏との間に流れる水が進入し難くなり、水が触れない足裏の表面積が増えて、水虫の治療に時間を要するという問題があった。水虫の治療には、水が触れる足の表面積が広いほど効果がある。
【０００４】
又、同一平面上に点在するように取り付け固定された多数の突部に対し足裏の表面がなじみ難く、足裏のつぼの刺激も不十分で、使用フィーリングが悪いという問題もあった。
本発明は、水虫の治療効果、足裏のつぼの刺激効果及び使用フィーリングを向上することができる水虫治療・健康促進装置を提供することにある。
【課題を解決するための手段】
【０００５】
上記問題点を解決するために、請求項１に記載の発明は、足を入れる容器に水又は温水を取り込むための取込部を設け、前記容器内の水又は温水を外部に排出するための排出部を設け、前記容器内の底部に無数の粒子を移動可能に収容して、上下方向に積層された粒子層を形成したことを要旨とする。
【０００６】
請求項２に記載の発明は、請求項１において、前記粒子の平均粒径は、３ｍｍ〜１５ｍｍの範囲に設定されていることを要旨とする。
請求項３に記載の発明は、請求項２において、前記粒子は天然の小石であって、粒子の平均粒径は、５ｍｍ〜８ｍｍの範囲に設定され、粒子層の層厚は、１ｃｍ〜３ｃｍの範囲に設定されていることを要旨とする。
【発明の効果】
【０００７】
本発明によれば、容器の足収容室の底部に粒子層を設けたので、取込部から容器内に取り入れた水が、前記粒子層を形成する無数の粒子相互の隙間を通して流れ、この流水が粒子層の上面に載せた足裏の表面に触れるように供給されるので、足の水虫の治療効果が促進される。又、粒子層の上面に足を載せると、足裏の表面形状に沿うように粒子が移動されて粒子層の上面が沈み込むように変形され、足裏の表面全域に粒子が接触されて、足裏のつぼの刺激効果及び使用フィーリングを向上することができる。
【０００８】
一方、前記取込部から容器の内部に温水を取り入れた場合には、温水によって温められた粒子により足裏が刺激されるので、足裏のつぼの刺激効果及び使用フィーリングをさらに向上することができる。特に、粒子層の上面で足踏み動作を繰り返すことにより、恰も川原の温かい砂利の上を歩くときのように足裏のつぼの刺激効果が促進される。
【発明を実施するための最良の形態】
【０００９】
以下、本発明を具体化した水虫治療・健康促進装置の一実施形態を図１及び図２にしたがって説明する。
図２に示すように、ほぼ有底四角箱状をなす容器１１は、平面正方形状をなす木製の底板１２と、この底板１２の四つの辺部に連結された同じく木製の四枚の側板１３，１４，１５，１６とによって構成されている。前記側板１３〜１６の内側には、底板１２から浮上するように支持板１７が水平状態で連結されている。前記底板１２と各側板１３〜１６は、図示しないが接着剤を介してシールされるように接着され、釘やビスにより連結されている。前記支持板１７の四辺の端面も、図示しないが接着剤を介してシールされるように前記側板１３〜１６の内側面に接着され、釘やビスにより連結されている。
【００１０】
図１に示すように、前記支持板１７の上面と、前記各側板１３〜１６の上部内側面とによって人の足を収容する足収容室Ｒが形成されている。前記底板１２の上面、前記各側板１３〜１６の下部内側面及び支持板１７の下面によって、密閉状の水又は温水の分流室Ｒｃが形成されている。前記支持板１７には多数の分流孔１７ａが形成されている。各分流孔１７ａによって前記分流室Ｒｃと足収容室Ｒが連通されている。前記分流孔１７ａの直径寸法は、１〜５ｍｍの範囲で、例えば２ｍｍに設定され、分流孔１７ａの配列ピッチは縦横ともに１〜５ｃｍの範囲で例えば３ｃｍに設定されている。
【００１１】
前記側板１５には、前記分流室Ｒｃと外部を連通するための取込部としての取込フランジ２１が貫通するように取り付けられている。この取込フランジ２１の外端部に、給水パイプ２２の先端が取り外し可能に接続されるようになっており、分流室Ｒｃの内部に水虫の治療を行うための非加熱の水又は足裏の温浴用の温水を供給することができるようになっている。前記側板１６には、前記足収容室Ｒと外部を連通するための排出部としての排出フランジ２３が貫通するように取り付けられている。この排出フランジ２３の外端部に、排出パイプ２４の基端部が取り外し可能に接続され、足収容室Ｒの内部の水又は温水を排出するようになっている。
【００１２】
前記容器１１の足収容室Ｒの底部には、無数の粒子としての天然の小石が移動可能に収容され、上下方向に複数層となる粒子層２５が形成されている。天然の小石は、球体ではなく、不定形であるため、その最小径と最大径の平均を一つの小石の直径、つまり粒径と言う。前記粒子層２５を形成する無数の小石の平均粒径は、３ｍｍ〜１５ｍｍの範囲で、例えば８ｍｍ〜１３ｍｍの範囲に設定されている。小石の平均粒径が３ｍｍ以下では、足裏の刺激効果が低下するとともに、粒子層２５の小石相互の間に形成される隙間（空隙）が少なくなり、水又は温水の透過性が低下し、後述する水虫の治療効果又は足裏の血行促進効果が低下する。反対に、小石の平均粒径が１５ｍｍ以上では、ゴツゴツした感触となって足裏の刺激が強くなり使用フィーリングが低下する。前記粒子層２５の層厚は、小石の平均粒径が例えば８ｍｍの場合には、３ｃｍ〜５ｃｍの範囲に、小石の平均粒径が例えば１３ｍｍの場合には、５ｃｍ〜８ｃｍの範囲にそれぞれ設定されている。粒子層２５の層厚は、該粒子層２５の上面に足を載せたとき、足の重さにより、足裏の表面全域が粒子層２５の小石を移動させて若干沈みこむ程度に設定されている。前記支持板１７の分流孔１７ａの直径は、前記粒子層２５の小石の平均粒径に応じて分流孔１７ａから粒子層２５の小石が分流室Ｒｃに落ちないように設定される。
【００１３】
次に、前記のように構成された水虫治療・健康促進装置を使用して、人の足にできた水虫を治療する方法と、足裏を刺激して足の血行を良くする方法について順次説明する。
図１に示すように、前記容器１１の足収容室Ｒの内部に人の足を収容し、積層された粒子層２５の上面に足裏を載せる。この状態で、給水パイプ２２の基端部を図示しない水道の蛇口に接続し、該給水パイプ２２から取込フランジ２１を介して、分流室Ｒｃの内部に水を供給する。供給された水は、支持板１７の多数の分流孔１７ａを通して分流室Ｒｃから足収容室Ｒに流動し、さらに粒子層２５の小石相互間に形成された隙間を通して足裏の表面に触れた後、排出フランジ２３から排出パイプ２４を介して外部に排出され、例えば洗面台の排水口に排出される。
【００１４】
前記給水パイプ２２から供給される水の温度は、１０〜２０℃が望ましい。単位時間当たりの給水量は、例えば３０〜１００ｃｍ３／ｓｅｃ、水の供給時間は、２０秒〜３分間が望ましい。例えば、水の供給を５０ｃｍ３／ｓｅｃで３０秒間行い、これを毎日繰り返し、５〜１０日で水虫が完治した事例が見られた。又、単位時間当たりの給水量は、容器１１の内部に図１に二点鎖線で示すように、水が貯留されるように調節するのが望ましい。例えば水の供給を３０〜１００ｃｍ３／ｓｅｃ、水の供給時間を１０分間行うだけで水虫を完治させる事例も見られたが、水虫菌の種類によって治療条件を変更する。水虫の治療効果の理由は、足に触れて流れる水によって水虫の白癬菌が足の皮膚の表面及び皮下組織内から連れ出されることによるものと考えられる。釣り人が足に足袋を履いて川釣りを所定時間行っていると、足にできた水虫が完治する事実と同じ現象であり、水虫の治療効果も前述したように実際に確認された。
【００１５】
次に、前記水虫治療・健康促進装置を用いて、健康を促進する方法について説明する。
前記給水パイプ２２の基端部を例えば湯沸し器の温水の蛇口に接続し、４０℃〜４５℃の温水を前記分流室Ｒｃに供給する。この温水が分流孔１７ａを通して粒子層２５の隙間に供給され、足裏が温められるとともに、粒子によって足裏のつぼが刺激され、足の血行が促進されて身体の血行が促され、健康の促進が図られる。
【００１６】
上記実施形態の水虫治療・健康促進装置によれば、以下のような効果を得ることができる。
（１）上記実施形態では、前記容器１１の足収容室Ｒの底部に多数の粒子としての天然の小石よりなる粒子層２５を設けた。このため、粒子層２５の多数の小石相互間に形成された隙間を通して足裏の表面に流れる水を効率よく触れさせることができ、水虫の治療を迅速に行うことができる。
【００１７】
（２）上記実施形態では、粒子層２５を形成する多数の小石が自由に移動されるので、粒子層２５の上面に足を載せたとき、足の重さにより足裏の表面の形状に沿って粒子層２５の上面が変形され、足裏全域を小石により効率良く刺激することができ、足の血行を良くして健康を増進することができる。又、足裏全域が粒子層２５の上面に若干沈み込むように支持されるので、足裏が局部的に強く刺激されることはなく、使用フィーリングを向上することができる。
【００１８】
(３) 上記実施形態では、例えば４０℃〜４５℃の温水を前記分流室Ｒｃに供給することもでき、この温水が分流孔１７ａを通して粒子層２５の隙間に供給され、足裏が温められるとともに、粒子によって足裏のつぼが刺激され、足の血行が促進されて身体の血行が促され、健康の促進を図ることができる。
【００１９】
次に、この発明の別の実施形態を順次説明する。
・図３に示す水虫治療・健康促進装置は、前記支持板１７及び分流室Ｒｃを無くしたものである。又、粒子層２５の平均粒径は、例えば３ｍｍ〜１５ｍｍの範囲で、５ｍｍ〜８ｍｍに設定されている。前記粒子層２５の層厚は、例えば１ｃｍ〜３ｃｍに設定され、取込フランジ２１の位置は、粒子層２５の底部と対応する側板１５の最下位置に設定され、排出フランジ２３の位置が粒子層２５の上面よりも高い位置に設定されている。取込フランジ２１及び排出フランジ２３を粒子層２５と対応する高さにしてもよい。
【００２０】
・図４に示す水虫治療・健康促進装置は、図１及び図２で説明した水虫治療・健康促進装置（以下Ｕ１と言う）と、図３に示す水虫治療・健康促進装置（以下Ｕ２と言う）とを組み合わせ、粒子層２５の小石の平均粒径を相違させたものである。下段に示す水虫治療・健康促進装置Ｕ１の粒子層２５の小石の平均粒径は、１３ｍｍ〜１５ｍｍの範囲に設定され、上段の水虫治療・健康促進装置Ｕ２の粒子層２５の小石の平均粒径は、３ｍｍ〜８ｍｍの範囲に設定されている。
【００２１】
この実施形態では、最初に、小石の平均粒径の小さく刺激の弱い粒子層２５を収容した水虫治療・健康促進装置Ｕ２を使用し、この粒子層２５の使用に慣れた後に、小石の平均粒径が大きく刺激の強い粒子層２５を収容した下段の水虫治療・健康促進装置Ｕ１を使用することにより異なる粒径の粒子層２５への適応を無理なく行うことができる。
【００２２】
・図５及び図６に示すように、分流孔１７ａを省略した支持板１７を傾斜状態で取り付けてもよい。この実施形態において、前記取込フランジ２１及び排出フランジ２３を粒子層２５と対応する高さにしてもよい。
【００２３】
・図７に示す水虫治療・健康促進装置は、有底短円筒状の容器３５の上端に、給水パイプ２２又は温水パイプ(図示略)を係止する係止金具３１を取り付けるとともに、排出部としての凹部３５ａを形成したものである。この実施形態において、凹部３５ａを省略し、容器３５を構成する円筒状の側板の中間高さ位置に排出部としての排出孔３５ｂを形成し、この排出孔３５ｂを開閉するための栓３６を取り外し可能に装着し、常には、栓３６を排出孔３５ｂに取り付けるようにしてもよい。さらに、前記給水パイプ２２又は温水パイプの先端にシャワーノズル３８を取りつけて、足に水又は温水を噴射するようにしてもよい。
【００２４】
・図８に示すように、前記容器４１の平面形状を足の形状と相似形状にしてもよい。前記容器１１の平面形状を、図示しないが、例えば楕円形、その他の任意の形状としてもよい。
【００２５】
・前記支持板１７の上面又は内部に対し前記粒子層２５の小石を加熱する例えばヒータ等の加熱手段を設けてもよい。この場合には、温水を用いなくても足裏を加熱して、血行を促進することができる。
・前記粒子層２５の粒子として、天然の小石以外に、セラミック、鉄、銅、アルミニウム、ステンレススチール、磁石、木材あるいは樹脂等の粒子を用いたり、それらの二種類以上が混合された粒子を用いたりしてもよい。
【００２６】
・前記容器１１の材料として木材以外に、例えば、銅等の金属、合成樹脂、あるいはセラミックを用いてもよい。
・前記取込フランジ２１から供給する水の温度は、前述したように５〜２０℃の範囲が望ましいが、１０〜１５℃の範囲がさらに望ましい。例えば、水道では水温が１４．５℃、１７．８℃、川水の温度は例えば１７〜１８℃である。井戸水では水温が５〜１０℃程度である。
・  前記取込フランジ２１から供給される温水の温度は、前述したように４０〜４５℃の範囲が望ましいが、３０〜６０℃の範囲でも良い。
・水源を水道の蛇口以外に河川、井戸、あるいは貯水槽にしたり、その他の水源としてもよい。特に、河川の新鮮な水を貯水槽に収容して水源として用いると効果がある。
【００２７】
・容器の側壁に給水パイプ又は温水パイプを取り外し可能に係止する取込部としての係止孔又は係止凹部を形成してもよい。
・容器自体の内部を取込部とし、この取込部に水道の蛇口又は温水パイプから水又は温水を落下供給するようにしてもよい。
【００２８】
本願発明と関係しないが、前述した各実施形態の構成の装置を、水虫の治療に用いないで、単に足裏のつぼを刺激する健康促進装置としてもよい。又、前述した各実施形態の構成の装置において、温水を供給して足の温浴効果を奏する健康促進装置としてもよい。
【００２９】
以下、前記実施形態から把握される請求項以外の技術的思想について記載する。
（技術的思想）
（１）請求項１〜３のいずれか一項において、粒子の平均粒径の異なる粒子層をそれぞれ収容した複数の容器を備えたことを特徴とする水虫治療・健康促進装置。
【００３０】
（２）容器に多数の粒子よりなる上下方向に積層された粒子層を収容したことを特徴とする健康促進装置。
（３）複数の容器に対し、多数の粒子の平均粒径の異なる上下方向に積層された粒子層をそれぞれ収容したことを特徴とする健康促進装置。
【図面の簡単な説明】
【００３１】
【図１】この発明の水虫治療・健康促進装置を示す縦断面図。
【図２】水虫治療・健康促進装置を示す斜視図。
【図３】この発明の別の水虫治療・健康促進装置を示す斜視図。
【図４】この発明の別の水虫治療・健康促進装置を示す縦断面図。
【図５】この発明の別の水虫治療・健康促進装置を示す縦断面図。
【図６】図５の水虫治療・健康促進装置の斜視図。
【図７】この発明の別の水虫治療・健康促進装置を示す斜視図。
【図８】この発明の別の水虫治療・健康促進装置を示す斜視図。
【符号の説明】
【００３２】
１１，３５…容器、２５…粒子層。
【図１】
2008154931.tif 000003
【図２】
2008154931.tif 000004
【図３】
2008154931.tif 000005
【図４】
2008154931.tif 000006
【図５】
2008154931.tif 000007
【図６】
2008154931.tif 000008
【図７】
2008154931.tif 000009
【図８】
2008154931.tif 000010